(57)【要約】【課題】【解決手段】本発明は、クライアントがデータ・オン・デマンド（ＤＯＤ）サービスにアクセスするのを選択的に阻止するための方法を教示する。この方法は、少なくとも１つのＤＯＤサービスを受信する動作（７０６，７０７）と、少なくとも１つのＤＯＤサービスに対応する少なくとも１つの関連の有効期限情報パケットを受信する動作（７０４）と、少なくとも１つのＤＯＤサービスの少なくとも一部をメモリロケーションに格納する動作（７０８）と、を備える。ここで、少なくとも１つの有効期限情報パケットは、少なくとも１つのＤＯＤサービスがそれ以降はアクセス不能になる第１の所定の時間を示している。第２の実施形態では、上記方法は、さらに、少なくとも１つのＤＯＤサービスに対応する少なくとも１つの関連のコピープロテクション情報パケットを受信する動作（８０４，８３４，８５４）を備える。ここで、少なくとも１つのコピープロテクション情報パケットは、少なくとも１つのＤＯＤサービスのコピーがそれ以降は妨げられる第２の所定の時間を示している。【選択図】図９
2004514335.tif 000002
【特許請求の範囲】
【請求項１】
データ・オン・デマンド（ＤＯＤ）サービスを提供するための方法であって、
将来のアクセスに備えて格納されている少なくとも１つのＤＯＤサービスを、少なくとも１つのクライアントに提供する工程と、
前記少なくとも１つのＤＯＤサービスに対応する少なくとも１つの関連の有効期限情報パケットを、前記少なくとも１つのクライアントに提供する工程であって、前記少なくとも１つの関連の有効期限情報パケットは、前記ＤＯＤサービスがそれ以降はアクセス不能になる第１の所定の時間を示している、工程と、
を備える、方法。
【請求項２】
請求項１に記載の方法であって、
前記少なくとも１つの関連の有効期限情報パケットは、伝送媒体を介して、前記少なくとも１つのクライアントに提供される、方法。
【請求項３】
請求項１に記載の方法であって、
前記少なくとも１つの関連の有効期限情報パケットは、格納されている、方法。
【請求項４】
請求項３に記載の方法であって、
前記少なくとも１つのＤＯＤサービスは、前記少なくとも１つの関連の有効期限情報パケットと共に格納され、この結果、格納された前記少なくとも１つのＤＯＤサービスと前記少なくとも１つの関連の有効期限情報パケットとは、前記少なくとも１つのクライアントによってアクセス可能となる、方法。
【請求項５】
請求項１に記載の方法であって、
前記少なくとも１つのＤＯＤサービスは、前記少なくとも１つのクライアントによる将来のアクセスのために少なくとも１つのＤＯＤレシーバに格納され、
前記少なくとも１つのＤＯＤレシーバは、前記格納された少なくとも１つのＤＯＤサービスにアクセスするように動作する、方法。
【請求項６】
請求項５に記載の方法であって、
前記第１の所定の時間を越えたとき、前記ＤＯＤレシーバは、前記格納された少なくとも１つのＤＯＤサービスへのアクセスを拒否するように動作する、方法。
【請求項７】
請求項１に記載の方法であって、さらに、
前記少なくとも１つのＤＯＤサービスに対応する少なくとも１つの関連のコピープロテクション情報パケットを提供する工程であって、前記少なくとも１つの関連のコピープロテクション情報パケットは、前記少なくとも１つのＤＯＤサービスのコピーがそれ以降は禁止される第２の所定の時間を示している、工程を備える、方法。
【請求項８】
請求項７に記載の方法であって、
前記少なくとも１つのＤＯＤサービスと、前記少なくとも１つの関連のコピープロテクション情報パケットとは、前記格納された少なくとも１つのＤＯＤサービスにアクセスするように動作するＤＯＤレシーバに格納される、方法。
【請求項９】
請求項８に記載の方法であって、
前記第２の所定の時間を越えたとき、前記ＤＯＤレシーバは、前記格納された少なくとも１つのＤＯＤサービスのコピーをプロテクトするように動作する、方法。
【請求項１０】
請求項９に記載の方法であって、
前記ＤＯＤレシーバは、前記少なくとも１つのＤＯＤサービスにアクセスするように動作し、さらに、前記少なくとも１つのＤＯＤサービスのコピーを選択的に禁止するように動作する、方法。
【請求項１１】
クライアントによるデータ・オン・デマンド（ＤＯＤ）サービスへのアクセスを選択的に阻止するための方法であって、
少なくとも１つのＤＯＤサービスを受信する工程と、
前記少なくとも１つのＤＯＤサービスに対応する少なくとも１つの関連の有効期限情報パケットを受信する工程であって、前記少なくとも１つの有効期限情報パケットは、前記少なくとも１つのＤＯＤサービスがそれ以降はアクセス不能になる第１の所定の時間を示している、工程と、
前記少なくとも１つのＤＯＤサービスの少なくとも一部をメモリロケーションに格納する工程と、
を備える、方法。
【請求項１２】
請求項１１に記載の方法であって、
前記少なくとも１つの関連の有効期限情報パケットは、電子プログラムガイドから受信される、方法。
【請求項１３】
請求項１１に記載の方法であって、
前記少なくとも１つのＤＯＤサービスの少なくとも一部を格納する前記工程は、
前記少なくとも１つのＤＯＤサービスの前記少なくとも一部を内部ストレージ媒体を有するセットトップボックス（ＳＴＢ）に格納する工程を含み、
前記ＳＴＢは、前記内部ストレージ媒体から、前記格納されたＤＯＤサービスの少なくとも一部にアクセスするように動作する、方法。
【請求項１４】
請求項１１に記載の方法であって、
前記少なくとも１つのＤＯＤサービスは、伝送媒体を介して受信される、方法。
【請求項１５】
請求項１１に記載の方法であって、さらに、
前記少なくとも１つのＤＯＤサービスに対応する少なくとも１つの関連のコピープロテクション情報パケットを受信する工程であって、前記少なくとも１つのコピープロテクション情報パケットは、前記少なくとも１つのＤＯＤサービスのコピーがそれ以降は妨げられる第２の所定の時間を示している、工程を備える、方法。
【請求項１６】
請求項１５に記載の方法であって、
前記受信された少なくとも１つの関連のコピープロテクション情報パケットは、格納されている、方法。
【請求項１７】
請求項１１に記載の方法であって、さらに、
前記少なくとも１つのＤＯＤサービスに対応する少なくとも１つの関連のコピープロテクション情報パケットを受信する工程を備え、
前記少なくとも１つのＤＯＤサービスの少なくとも一部は、前記コピープロテクション情報パケットに応じて、前記少なくとも１つのＤＯＤサービスのコピーを劣化させるように動作するＤＯＤレシーバに格納される、方法。
【請求項１８】
請求項１１に記載の方法であって、
前記少なくとも１つのＤＯＤサービスの少なくとも一部をメモリロケーションに格納する前記工程は、
前記少なくとも１つのＤＯＤサービスの少なくとも一部を前記メモリロケーションを含むＤＯＤレシーバに格納する工程を含み、
前記ＤＯＤレシーバは、前記有効期限情報パケットに応じて、前記少なくとも１つのＤＯＤサービスの前記格納された一部へのアクセスを阻止するように動作する、方法。
【請求項１９】
請求項１８に記載の方法であって、
前記ＤＯＤレシーバは、セットトップボックス（ＳＴＢ）である、方法。
【請求項２０】
請求項１８に記載の方法であって、
前記ＤＯＤレシーバは、前記少なくとも１つのＤＯＤサービスの少なくとも一部を表示するように動作する視覚的表示装置を含む、方法。
【請求項２１】
限られた期間のみアクセス可能なＤＯＤプログラムをクライアントに提供するためのデータ・オン・デマンド（ＤＯＤ）放送システムであって、
少なくとも１つのＤＯＤプログラムを少なくとも１つのＤＯＤレシーバに伝送媒体を介して提供するように動作するＤＯＤサーバを備え、
前記ＤＯＤサーバは、前記少なくとも１つのＤＯＤレシーバが有効期限の満了した前記少なくとも１つのＤＯＤプログラムへのアクセスを制限することができるように、前記少なくとも１つのＤＯＤプログラムに対応する少なくとも１つの関連の有効期限情報パケットを提供するように動作する、ＤＯＤ放送システム。
【請求項２２】
請求項２１に記載のＤＯＤ放送システムであって、
前記少なくとも１つの関連の有効期限情報パケットは、前記伝送媒体を介して前記少なくとも１つのＤＯＤレシーバに提供される、ＤＯＤ放送システム。
【請求項２３】
請求項２２に記載のＤＯＤ放送システムであって、
前記伝送媒体は、ラジオ放送およびテレビ放送の一般的な範囲内の電磁信号を含む、ＤＯＤ放送システム。
【請求項２４】
請求項２２に記載のＤＯＤ放送システムであって、
前記伝送媒体は、光ファイバ網を含む、ＤＯＤ放送システム。
【請求項２５】
請求項２１に記載のＤＯＤ放送システムであって、
前記少なくとも１つのＤＯＤサーバは、前記少なくとも１つのＤＯＤプログラムに対応する少なくとも１つの関連のコピープロテクション情報パケットを前記少なくとも１つのＤＯＤレシーバに提供するように動作し、
前記少なくとも１つの関連のコピープロテクション情報パケットは、前記少なくとも１つのＤＯＤサービスのコピーがそれ以降は制限される所定の時間を示している、ＤＯＤ放送システム。
【請求項２６】
請求項２１に記載のＤＯＤ放送システムであって、
前記伝送媒体は、インターネットを含む、ＤＯＤ放送システム。
【請求項２７】
請求項２１に記載のＤＯＤ放送システムであって、
前記少なくとも１つのＤＯＤレシーバは、前記少なくとも１つの関連の有効期限情報パケットに応じて、前記少なくとも１つのＤＯＤプログラムへのアクセスを制限するように動作する、ＤＯＤ放送システム。
【請求項２８】
請求項２７に記載のＤＯＤ放送システムであって、
前記少なくとも１つのＤＯＤレシーバは、前記少なくとも１つのコピープロテクション情報パケットに応じて、前記少なくとも１つのＤＯＤプログラムのコピーを劣化させるように動作する、ＤＯＤ放送システム。
【請求項２９】
請求項２５に記載のＤＯＤ放送システムであって、
前記少なくとも１つのＤＯＤレシーバは、セットトップボックス（ＳＴＢ）である、ＤＯＤ放送システム。
【請求項３０】
請求項２５に記載のＤＯＤ放送システムであって、
前記ＤＯＤレシーバは、前記少なくとも１つのＤＯＤサービスの少なくとも一部を表示するように動作する視覚的表示装置を含む、ＤＯＤ放送システム。
【請求項３１】
データ・オン・デマンドを受信するためのセットトップボックス（ＳＴＢ）であって、
データバスと、
デジタル放送通信媒体に結合するのに適しており、少なくとも１つのＤＯＤサービスを含むデジタル放送データを受信するように動作可能な第１の通信デバイスと、
前記データバスに双方向的に結合されたメモリであって、コンピュータが実行可能な
ａ）前記ＤＯＤサービスに関連付けられた有効期限情報を含む前記デジタル放送データの少なくとも一部を読み出すための命令と、
ｂ）前記有効期限情報に基づいて、前記受信されたＤＯＤサービスの有効期限が満了したか否かを決定するための命令と、
ｃ）前記ＤＯＤサービスの有効期限が満了した場合に、前記ＤＯＤサービスへのアクセスを阻止するための命令と、
を含む前記メモリと、
前記データバスに双方向に結合されたデジタルデータデコーダと、
前記データバスに双方向に結合され、前記メモリと前記第１の通信デバイスと前記デジタルデコーダとを制御するＳＴＢ制御プロセスを実行する中央演算処理装置（ＣＰＵ）であって、前記ＳＴＢ制御プロセスは、前記第１の通信デバイスで受信されたデジタルデータを処理するように動作可能である、前記中央演算処理装置と、
を備える、ＳＴＢ。
【請求項３２】
請求項３１に記載のＳＴＢであって、
前記メモリは、
一時的なランダムアクセスメモリ（ＲＡＭ）と、
永続的なストレージデバイスと、
を含み、
前記コンピュータが実行可能な命令は、前記永続的なストレージデバイスに格納される、ＳＴＢ。
【請求項３３】
請求項３２に記載のＳＴＢであって、
前記永続的なストレージデバイスは、ハードディスクである、ＳＴＢ。
【請求項３４】
請求項３１に記載のＳＴＢであって、
前記デジタル放送データは、さらに、コピープロテクション情報を含む、ＳＴＢ。
【発明の詳細な説明】
【０００１】
【発明の属する技術分野】
本発明は、データ・オン・デマンド（ＤＯＤ）およびデジタル放送の技術に関する。具体的には、本発明は、ＤＯＤプログラムを不活性にし、ＤＯＤプログラムの再生を阻止するための方法および装置を教示する。
【０００２】
【従来技術の説明】
データ・オン・デマンド（ＤＯＤ）システムは、完全に計画された時間にサービスを提供する従来のケーブルテレビシステムに代わる新しいシステムである。ビデオ・オン・デマンド（ＶＯＤ）およびＤＯＤの業界が直面している問題の１つは、クライアントがＤＯＤサービスを簡単に記録するのを防止する点にある。記録が簡単に行えると、以前に受信したことのあるＤＯＤサービスの再注文が減少したり、ＤＯＤサービスを非クライアントと不正に共有したり、あるいは、非クライアントに販売する事態が生じたりする恐れがある。もう１つの問題は、或るＤＯＤサービスをダウンロードしたクライアントが、そのサービスを無限に使用できるという点にある。或るＤＯＤサービスを選択して注文したクライアントは、そのサービスを二度と注文する必要はない。
【０００３】
以下では、広く使用されているデジタル放送システムの一般論を述べる。デジタル放送システムにおいて、ＭＰＥＧ２規格に従って多重化されるビットストリームは、一般に「パケッタイズドエレメンタリストリーム」（すなわちＰＥＳ）パケットと、他の必要情報を含むパケットと、から構成される「トランスポートストリーム」である。「パケッタイズドエレメンタリストリーム」（すなわちＰＥＳ）パケットは、「エレメンタリストリームデータ」を搬送するために使用されるデータ構造である。「エレメンタリストリーム」は、ストリームＩＤを伴った一連のＰＥＳパケットにより搬送される（ａ）符号化された映像、（ｂ）符号化された音声、または（ｃ）符号化されたその他のビットストリームのうちの１つの総称である。トランスポートストリームは、１つのプログラムからのビデオ圧縮ストリームおよびオーディオ圧縮ストリームを共通の時間基準で多重化することをサポートしている。
【０００４】
従来技術の図１は、ビデオシーケンス１０２の圧縮ビデオデータ１０６を、ＰＥＳパケットのストリーム１０８にパケット化し、次に、トランスポートストリームパケットのストリーム１１２にパケット化する様子を示している。具体的には、ビデオシーケンス１０２は、各種のヘッダ１０４と、関連する圧縮ビデオデータ１０６と、を含む。ビデオシーケンス１０２は、関連するＰＥＳパケットヘッダ１１０をそれぞれ有する可変長の複数セグメントに分解されて、ＰＥＳパケットストリーム１０８を形成する。そして、ＰＥＳパケットストリーム１０８は、トランスポートストリームヘッダ１１４をそれぞれ有する複数のセグメントに分解されて、トランスポートストリーム１１２を形成する。
【０００５】
従来技術の図２は、デジタル放送データの処理に適したデジタル放送サーバ２０２およびセットトップボックス２０４を含むデジタル放送システム２００を示すブロック図である。デジタル放送サーバ２０２では、ビデオデータがビデオエンコーダ２０６に供給され、ビデオエンコーダ２０６は、ＭＰＥＧ２規格に従ってビデオデータを符号化する。ビデオエンコーダ２０６は、符号化されたビデオ２０８をパケッタイザ２１０に供給し、パケッタイザ２１０は、符号化されたビデオ２０８をパケット化する。パケッタイザ２１０によって提供されるパケット化され符号化されたビデオ２１２は、次いで、トランスポートストリームマルチプレクサ２１４に供給される。
【０００６】
同様に、デジタル放送サーバ２０２では、オーディオデータがオーディオエンコーダ２１６に供給され、オーディオエンコーダ２１６は、オーディオデータを符号化する。オーディオエンコーダ２１６は、符号化されたオーディオ２１８をパケッタイザ２２０に供給し、パケッタイザ２２０は、符号化されたオーディオ２１８をパケット化する。パケッタイザ２２０によって提供されるパケット化され符号化されたオーディオ２２２は、次いで、トランスポートストリームマルチプレクサ２１４に供給される。
【０００７】
トランスポートストリームマルチプレクサ２１４は、符号化されたオーディオパケットおよびビデオパケットを多重化し、多重化済みストリームを配布インフラ２２４を介してセットトップボックス２０４へ伝送する。この配布インフラ２２４は、例えば、光ファイバおよび非同期転送モード（ＡＴＭ）の通信プロトコルを利用した電話回線網および／またはケーブルＴＶ（ＣＡＴＶ）システムであってよい。セットトップボックス２０４では、トランスポートストリームデマルチプレクサ２３０が、配布インフラ２２４の遠隔端において多重化されたトランスポートストリームを受信する。トランスポートストリームデマルチプレクサ２３０は、パケット毎のパケット識別番号に基づいて符号化されたオーディオパケットとビデオパケットとを分け、ビデオパケットをリンク２３８を介してビデオデコーダ２３２に供給し、オーディオパケットをリンク２４０を介してオーディオデコーダ２３６に供給する。
【０００８】
トランスポートストリームデマルチプレクサ２３０は、また、クロック制御ユニット２３４にタイミング情報を供給する。クロック制御ユニット２３４は、トランスポートストリームデマルチプレクサ２３０によって供給されたタイミング情報に基づいて（例えばＰＣＲフィールドの値に基づいて）、ビデオデコーダ２３２とオーディオデコーダ２３６との双方にタイミング出力を供給する。ビデオデコーダ２３２は、最初にビデオエンコーダ２０６に供給されたビデオデータに対応するビデオデータを提供する。同様に、オーディオデコーダ２３６は、最初にオーディオエンコーダ２１６に供給されたオーディオデータに対応するオーディオデータを提供する。
【０００９】
従来技術の図３は、ＶＯＤシステム３００の簡単な機能ブロック図を示している。ＶＯＤシステム３００の中心部には、ビデオサーバ３１０がある。ビデオサーバ３１０は、映画ストレージシステム３１２に常駐しているデジタル映画を配布インフラ３１４に送信する。この配布インフラ３１４は、例えば、光ファイバおよび非同期転送モード（ＡＴＭ）の通信プロトコルを利用した電話回線網および／またはケーブルＴＶ（ＣＡＴＶ）システムであってよい。配布インフラ３１４は、ビデオサーバ３１０によって供給されるルーティング情報に基づいて、個々の家に映画を配信する。
【００１０】
ＶＯＤシステム３００は、また、ＶＯＤシステム３００においてＶＯＤを処理するのに適した複数のＶＯＤ　ＳＴＢ３０４を含む。各ＳＴＢ３０４は、デジタル映画を受信して復号化し、それをテレビ受像器またはＡ／Ｖモニタに表示するための信号に変換する。
【００１１】
従来技術の図４は、双方向のクライアントサーバアーキテクチャを有するＤＯＤシステム３２０の概略を示している。ＤＯＤシステム３２０は、通信リンク３２６を介して複数のＤＯＤクライアント３２４と双方向に結合したＤＯＤサーバ３２２を含む。図３のＶＯＤシステム３００は、ＤＯＤシステム３２０の具体例である。
【００１２】
一般に、ＤＯＤシステム３２０の動作は、以下のように周知のクライアントサーバモデルに従う。クライアント３２４は、通常、ＤＯＤサーバ３２２による電子プログラムガイド（ＥＰＧ）の配信を通じて、利用可能なオンデマンドデータを知ることができる。要求ＤＯＤクライアント３２４は、ＥＰＧを参照にしながら、通信リンク３２６を介してＤＯＤサーバ３２２に特定のデータを要求する。ＤＯＤサーバ３２２は、クライアント要求を解釈し、クライアント指定データを要求クライアント３２４の使用に適したフォーマットで準備する。
【００１３】
クライアント指定のデータが準備されたら、ＤＯＤサーバ３２２は、クライアント指定データを要求クライアント３２４に送信する。要求クライアント３２４は、要求したクライアント指定データを、通信リンク３２６の特定の割り当てられた部分を介して、読み取り使用可能なフォーマットで受信する。要求されたクライアント指定データは、ＤＯＤクライアントによってエンドユーザへの表示が可能なフォーマットで提供される。これらのクライアントサーバプロセスは、図５および図６を参照にしながら以下で詳述される。
【００１４】
通信リンク３２６は、純粋に双方向の通信媒体であってよいが、このようなインフラは一般的でない。その代わり、今日では、光ファイバケーブルや電話回線などの既存のインフラに手を加えることによって、必要とされる双方向通信を実現している。例えば、サーバからクライアント指定データを伝送するために光ファイバケーブルを使用し、クライアントから要求を伝送するために既存の電話回線を使用してもよい。
【００１５】
次に、従来技術の図５を参照にしながら、従来技術に従った双方向ＤＯＤサーバにおける方法３４０が説明される。ＤＯＤサーバは、第１のステップ３４２において、利用可能な伝送帯域幅の範囲内で利用可能なスロットを識別する。次のステップ３４４では、ＤＯＤサーバは、適切なＥＰＧを用意して各クライアントに伝送する。なお、伝送されるＥＰＧの種類は、サブスクリプションレベルや、利用可能なサービス、ユーザ定義の設定、支払い履歴などの要因に応じて、クライアント毎に様々であってよい。いずれの場合であっても、ＤＯＤサーバは、次のステップ３４６において、特定のクライアントから特定のデータ要求を受信する。この要求は、そのクライアントのＩＤを示す情報を含む。ＤＯＤサーバは、続くステップ３４８において、要求に含まれる情報を基に、その特定のクライアントを識別する。ステップ３４８は、永続的なストレージメカニズムからクライアント指定データを検索する動作や、データ伝送に適したチャネルサーバを用意する動作を含んでいてもよい。
【００１６】
ステップ３５０において、ＤＯＤサーバは、利用可能なスロットをクライアントに割り当てる。ステップ３５２において、ＤＯＤサーバは、要求されたクライアント指定データを要求クライアントに適したフォーマットで伝送する準備を整える。続くステップ３５４において、ＤＯＤサーバは、要求クライアントに割り当てられた帯域幅を介してクライアント指定データを伝送する。
【００１７】
ステップ３５６において、受信クライアントのセットトップボックス（ＳＴＢ）は、要求されたＤＯＤサービスを内部ハードドライブに格納する。このＤＯＤサービスは、クライアントによって随時アクセス可能である。映画などのＤＯＤサービスは、ＳＴＢに取り付けられたＶＣＲによって記録されてもよい。ただし、格納されたこのサービスにクライアントが後でアクセスするのを阻止できるメカニズムは存在しない。そして、格納されたこのサービスが無制限にコピーされるのを阻止できるメカニズムは存在しない。
【００１８】
次に、図６を参照にしながら、オンデマンドデータを検索するためのクライアントにおける方法３６０が説明される。ＤＯＤクライアントは、調整ステップ３６２において、適切なチャネルプログラムに調整され、受信ステップ３６４において、ＤＯＤサーバによって伝送されたＥＰＧを受信する。ＤＯＤクライアントは、続くステップ３６６において、ＤＯＤユーザにＥＰＧ情報を提供し、ステップ３６８において、ＤＯＤユーザから特定のデータに関する要求を受信する。ＤＯＤクライアントは、続くステップ３７０において、要求されたクライアント指定データを提供するようＤＯＤサーバに要求する。ＤＯＤクライアントは、ステップ３７２において、要求されたクライアント指定データを予期して、割り当てられた帯域幅に調整される。ＤＯＤクライアントは、続くステップ３７４において、要求されたクライアント指定データを、割り当てられた帯域幅を介して、読み取り使用可能なフォーマットで受信する。続くステップ３７６において、クライアントは、要求されたデータを、内部ハードディスクを有するＤＯＤレシーバに格納する。クライアントは、格納されたデータを無期限に使用することができる。
【００１９】
上述されているように、従来技術のシステムでは、ダウンロードされたＤＯＤサービスの有効期間を制限する方法がない。そして、従来技術のシステムでは、ダウンロードされたＤＯＤサービスのコピーまたはコピーの質を制限する方法がない。したがって、ダウンロードされたＤＯＤサービスの有効期間を制限する方法を提供することが望まれている。さらに、ダウンロードされたＤＯＤサービスのコピーの質を制限する方法を提供することが望まれている。また、ダウンロードされたＤＯＤサービスのコピーを制限する方法も必要とされている。
【００２０】
【発明の概要】
本発明は、ＤＯＤレシーバによって受信され格納されたＤＯＤサービスが、限られた期間だけアクセス可能であるように、ＤＯＤサービスを選択的に不活性にするための方法およびシステムを教示する。本発明は、また、ダウンロードされたＤＯＤサービスのコピーの質を制限するための方法およびシステムを教示する。これらの方法およびシステムは、汎用デジタルデータシステムと、汎用ＳＴＢと、デジタルサービスを取り扱ったり汎用ＳＴＢを制御したりするための種々の方法と、を含む。
【００２１】
本発明の第１の実施形態は、クライアントがデータ・オン・デマンド（ＤＯＤ）サービスにアクセスするのを選択的に阻止するための方法を教示する。この方法は、少なくとも１つのＤＯＤサービスを受信する動作と、その少なくとも１つのＤＯＤサービスに対応する少なくとも１つの関連の有効期限情報パケットを受信する動作と、少なくとも１つのＤＯＤサービスをメモリロケーションに格納する動作と、を備える。少なくとも１つの有効期限情報パケットは、少なくとも１つのＤＯＤサービスがそれ以降はアクセス不能になる第１の所定の時間を示している。第２の実施形態では、上記方法は、さらに、少なくとも１つのＤＯＤサービスに対応する少なくとも１つの関連のコピープロテクション情報パケットを受信する動作を備える。少なくとも１つのコピープロテクション情報パケットは、少なくとも１つのＤＯＤサービスのコピーがそれ以降は妨げられる第２の所定の時間を示している。
【００２２】
セットトップボックスは、種類が多様になるにつれて、テレビやコンピュータなどの上または横に置かれるよりも、一体化されて内蔵型になる場合が多くなる。したがって、当業者ならばわかるように、ＳＴＢへの参照は全て内蔵型にも等しく適用されるので、両者は同義である。
【００２３】
【発明の実施の形態】
発明の実施の形態に関する以下の詳細な説明は、発明の実施の形態の一部を構成する添付の図面を参照にしながら行う。これらの図面は、本発明が実施される特定の実施形態を例として示している。これらの実施形態は、当業者が本発明を実施できるように充分に詳細に説明されているが、その他の実施形態を利用することも可能であり、本発明の趣旨および範囲から逸脱しない範囲内において、構造的、理論的、および電気的な変更ならびにその他の変更形態を実現することが可能である。
【００２４】
本発明は、ＤＯＤレシーバで受信され格納されたＤＯＤサービスが、限られた期間だけアクセス可能であるように、ＤＯＤサービスを選択的に不活性にするための方法およびシステムを教示する。本発明は、また、ダウンロードされたＤＯＤサービスのコピーの質を制限するための方法およびシステムを教示する。これらの方法およびシステムは、汎用デジタルデータシステムと、汎用ＳＴＢと、デジタルサービスを取り扱ったり、汎用ＳＴＢを制御したりするための種々の方法と、を含む。上記では、単方向の放送システムで使用されるものとして本発明を説明したが、本発明は、双方向の放送システムにも等しく適用することが可能である。
【００２５】
図７は、本発明の一実施形態に従ったＤＯＤサーバ４５０のアーキテクチャを示す。ＤＯＤサーバ４５０は、複数のチャネルサーバ４１１と、それぞれが各チャネルサーバ４１１に対応している複数のアップコンバータ４１２と、結合増幅器４１４と、中央制御サーバ５０２と、図示するようにデータバス５０６を介して連結された中央ストレージ５０４と、を含む。後述するように、中央制御サーバ５０２は、チャネルサーバ４１１のオフライン動作を制御すると共に、チャネルサーバ４１１の準備が整ったらリアルタイム伝送を開始する。中央ストレージ５０４は、通常、データファイルをデジタルフォーマットで格納する。なお、適切な大容量の永続的なデータストレージデバイスであればよい。
【００２６】
代表的な一実施形態では、中央ストレージ５０４に格納されたデータファイルは、ネットワークに接続された例えば中央制御サーバ５０２などの許可コンピュータによって、標準的なネットワークインタフェース（例えばイーサネット接続）を介してアクセスすることができる。チャネルサーバ４１１は、中央ストレージ５０４から検索されたデータファイルを、中央制御サーバ５０２からの命令に従って供給する。ＤＯＤ用のデジタルデータの検索と、ＤＯＤ用のデジタルデータ伝送のスケジューリングとは、各チャネルサーバ４１１がリアルタイムデータ伝送の準備を完全に整えられるように、いずれも「オフライン」で実施される。各チャネルサーバ４１１は、ＤＯＤの供給の準備が整ったら中央制御サーバ５０２に通知するので、中央制御サーバ５０２は、この段階で、チャネルサーバ４１１を制御してＤＯＤ伝送を開始させることができる。
【００２７】
好ましい一実施形態では、中央制御サーバ５０２は、グラフィックユーザインタフェース（不図示）を含むことによって、サービスプロバイダにおけるドラッグ・アンド・ドロップ動作によるデータ配送のスケジューリングを可能にする。さらに、中央制御サーバ５０２は、チャネルサーバ４１１の認証および制御を行うことによって、チャネルサーバ４１１を配送マトリックスに従って開始させる、または停止させる。単方向のＤＯＤ放送マトリックスを提供するためのシステムおよび方法は、２０００年５月３１日付けで出願されたＫｈｏｉ　Ｈｏａｎｇによる特許出願０９／５８４，８３２号「Ｓｙｓｔｅｍｓ ａｎｄ Ｍｅｔｈｏｄｓ ｆｏｒ Ｐｒｏｖｉｄｉｎｇ Ｖｉｄｅｏ ｏｎ Ｄｅｍａｎｄ Ｓｅｒｖｉｃｅｓ ｆｏｒ Ｂｒｏａｄｃａｓｔｉｎｇ Ｓｙｓｔｅｍｓ（放送システム用のビデオ・オン・デマンドサービスを提供するためのシステムおよび方法）」において教示されており、本文献は、引用として本明細書に組み込まれるものとする。
【００２８】
各チャネルサーバ４１１は、１つのチャネルに割り当てられ、１つのアップコンバータ４１２に結合される。各チャネルサーバ４１１の出力は、対応するアップコンバータ４１２に適した周波数を有し、かつ、直交振幅変調（ＱＡＭ）によって変調された中間周波数（ＩＦ）信号である。ＱＡＭによって変調されたＩＦ信号は、業界標準（ａｄｏｐｔｅｄ ｓｔａｎｄａｒｄｓ）に依存する。米国における現行の業界標準は、ＤＯＣＳＩＳ（ｄａｔａ−ｏｖｅｒ−ｃａｂｌｅ−ｓｙｓｔｅｍｓ−ｉｎｔｅｒｆａｃｅ−ｓｐｅｃｉｆｉｃａｔｉｏｎ）標準であり、約４３．７５ＭＨｚのＩＦ周波数を必要とする。好ましいチャネルサーバ４１１に関しては、図１０を参照にしながら以下で詳述される。
【００２９】
アップコンバータ４１２は、チャネルサーバ４１１から受信したＩＦ信号を高周波信号（ＲＦ信号）に変換する。周波数および帯域幅を含むＲＦ信号は、所望チャネルおよび業界標準に依存する。例えば、ケーブルテレビチャネル８０のための米国における現行の標準の下では、ＲＦ信号は、約５５９．２５ＭＨｚの周波数と約６ＭＨｚの帯域幅とを有する。
【００３０】
アップコンバータ４１２の出力は、結合／増幅器４１４に与えられる。結合／増幅器４１４は、受信したＲＦ信号を増幅、調節、結合した後に、伝送媒体に出力する。
【００３１】
図８は、本発明の一実施形態に従った汎用ＳＴＢ６００を示す。ＳＴＢ６００は、ＱＡＭ復調器６０２と、ＣＰＵ６０４と、ローカルメモリ６０８と、バッファメモリ６１０と、映像および音声をデコードする機能を有するデコーダ６１２と、グラフィックオーバーレイモジュール６１４と、ユーザインタフェース６１８と、通信リンク６２０と、図のようにこれらのデバイスを連結する高速データバス６２２と、を備える。ＣＰＵ６０２は、クライアントからの要求に応じてデータを選択し、選択されたデータをデコードし、デコードされたデータを解凍し、デコードされたデータを再組み立てし、デコードされたデータをローカルメモリ６０８またはバッファメモリ６１０に格納し、格納されたデータをデコーダ６１２に伝送するように、汎用ＳＴＢ６００の動作全般を制御する。代表的な一実施形態では、ローカルメモリ６０８は、不揮発性メモリおよびセキュアメモリの両方を備え、バッファメモリ６１０は揮発性メモリを備える。
【００３２】
一実施形態では、ＱＡＭ復調器６０２は、送受信モジュールと、次のうちの１以上と、を備える。プライバシ暗号化／非暗号化モジュール，順方向誤り訂正デコーダ／エンコーダ，チューナ制御，ダウンストリーム・アップストリームプロセッサ，ＣＰＵ，メモリインタフェース回路。ＱＡＭ復調器６０２は、変調されたＩＦ信号を受信し、信号を抽出および復調することによってデータを復元する。
【００３３】
代表的な一実施形態では、デコーダ６１２は、アクセス権が付与された時点で少なくとも１つのデータブロックをデコードすることによって、そのデータブロックを出力画面に表示可能な画像に変換する。デコーダ６１２は、再生、停止、一時停止、ステップ、巻き戻し、早送りなど、加入クライアントからのコマンドをサポートする。デコーダ６１２は、デコードされたデータを、クライアントが使用できるように出力デバイス６２４に供給する。出力デバイス６２４は、テレビや、コンピュータ、適切な任意の表示モニタ、ＶＣＲなど、適切な任意のデバイスであってよい。
【００３４】
グラフィックオーバーレイモジュール６１４は、表示された画像の質を、例えばαブレンディングまたはピクチャ・イン・ピクチャ機能によって向上させる。代表的な一実施形態では、グラフィックオーバーレイモジュール６１４は、ゲームプレイングモード時にグラフィックスを加速させるために使用することができる。ゲームプレイングモードとは、例えば、本発明に従ったシステムを使用してサービスプロバイダがゲーム・オン・デマンドサービスを提供する場合などである。
【００３５】
ユーザインタフェース６１８は、ＳＴＢ６００のユーザ制御を可能にする遠隔制御デバイスや、キーボード、スマートカードなどの任意の適切なデバイスであってよい。通信リンク６２０は、さらなる通信接続を提供する。これは、別のコンピュータに接続してもよいし、双方向の通信を実現するために使用してもよい。データバス６２２は、本発明の要求に応じてリアルタイム方式でデータ通信を実施するのに適した市販の「高速」データバスであることが好ましい。適切な例として、ＵＳＢやファイヤワイヤなどが挙げられる。
【００３６】
図９は、本発明の一実施形態に従ったＤＯＤサービスを受信するプロセス７００を示す。プロセス７００は、ステップ７０２から開始する。ステップ７０２では、クライアントは、ユーザインタフェース６１８（図８）を使用して、ＤＯＤサーバ４５０（図７）から取り出し可能なＤＯＤサービスの中から、所望のＤＯＤサービスを選択する。これは、ＥＰＧに載っている利用可能なＤＯＤプログラムのリストから見たいプログラムを選択することを伴ってもよい。あるいは、ユーザインタフェースを使用し、所望のサービスに対応するコードを入力することによって、サービスの１つを選択してもよい。ＤＯＤサービスが選択されると、プロセスはステップ７０４に進み、ＳＴＢは、選択されたＤＯＤサービスに対応する有効期限情報をＥＰＧプログラムから検索する。好ましい一実施形態では、利用可能ないずれのＤＯＤサービスも、ＥＰＧプログラムを介して入手可能な関連の有効期限情報を有する。続くステップ７０６において、ＳＴＢは、選択されたＤＯＤサービスを受信できるように、適切な帯域幅および適切な放送データに調節される。ステップ７０７において、ＳＴＢは、選択されたＤＯＤサービスを、ＤＯＤサーバ４５０（図７）によって伝送されたデータストリームを介して受信する。
【００３７】
ステップ７０８において、ＳＴＢは、受信したＤＯＤサービスと、対応する有効期限情報とを、将来の使用に備えて内部ハードドライブ６０８（図８）に格納する。ＤＯＤサービスおよび対応する有効期限情報は、あるいは、ＺＩＰディスクまたはＣＤ−Ｒディスクなどの携帯型のストレージ媒体に格納することも可能である。このような代替の一実施形態では、ＤＯＤサービスは、格納された有効期限情報を読み出すために装備されたＳＴＢによってのみアクセス可能な方式で格納されると考えられる。
【００３８】
図１０は、本発明の一実施形態に従ったＤＯＤサービスにアクセスするためのＳＴＢプロセス７５０を示す。プロセスは、ステップ７５２から開始する。ステップ７５２では、ユーザは、ユーザインタフェース６１８（図８）によるアクセスのためにステップ７０８（図９）において予め格納されたＤＯＤサービスを選択する。これは、ＳＴＢに格納された利用可能なＤＯＤサービスが列挙されたユーザインタフェースによって表示されるメニューから、見たいプログラムを選択することを伴ってよい。
【００３９】
ステップ７５４において、ＳＴＢは、選択されたＤＯＤサービスに対応する有効期限情報をメモリ６０８から検索する。ステップ７５６において、ＳＴＢ６００（図８）は、選択されたＤＯＤサービスの有効期限が満了したか否かを決定する。この決定は、プロセッサ６０４（図８）が、有効期限情報に含まれた有効期限と現在の日付とを比較することによって下される。メモリに格納された有効期限情報によって示された日付が、ＥＰＧプログラムによって示された現行の日付よりも後である場合は、プロセスはステップ７５８に進む。ステップ７５８において、ＳＴＢは、選択されたＤＯＤサービスを検索し、クライアントが使用できるようにする。ステップ７５９において、ＳＴＢは、選択されたＤＯＤサービスのあらゆるグラフィック要素を、Ａ／Ｖモニタまたはテレビ受像器に表示する。
【００４０】
選択され格納されたＤＯＤサービスの有効期限が満了している場合は、プロセスはステップ７６０に進む。ステップ７６０において、ＳＴＢは、拒否メッセージをユーザに表示する。このメッセージは、有効期限の満了したＤＯＤサービスへの再アクセスを命ずるなどの情報を含んでいてもよい。
【００４１】
図１１は、本発明の一実施形態に従ったコピー防止のプロセス８００を示す。プロセスは、ステップ８０２から開始する。ステップ８０２では、ユーザは、アクセスしたいＤＯＤサービスを、ユーザインタフェース６１８（図８）を使用して選択する。これは、ＥＰＧに載っている利用可能なＤＯＤプログラムのリストから見たいプログラムを選択することを伴ってよい。ＤＯＤサービスは、所望のサービスに対応するコードを入力することによって選択してもよい。
【００４２】
ステップ８０４において、ＳＴＢは、選択されたＤＯＤサービスに対応するコピープロテクション情報をＥＰＧプログラムから検索する。一実施形態では、各ＤＯＤサービスは、ＥＰＧプログラムを介してＳＴＢによってアクセス可能な関連のコピープロテクション情報を有する。ステップ８０６において、ＳＴＢは、コピープロテクション情報に基づいて、選択されたＤＯＤサービスにコピープロテクションを適用すべきか否かを決定する。コピープロテクションが表示されなかった場合は、プロセスはステップ８０８に進み、ＳＴＢ６００（図８）は、選択されたＤＯＤサービスをサーバ４５０（図７）から受信する。続くステップ８１０において、ＳＴＢは、選択されたＤＯＤサービスのあらゆるグラフィック要素を、Ａ／ＶモニタやＶＣＲなどを介してユーザに表示する。この表示は、ビデオテープまたはＤＶＤに自由にコピーしてよい。
【００４３】
代替の一実施形態では、関連のコピープロテクション情報は、選択されたＤＯＤサービスを搬送するパケットストリームのヘッダ１１０（図１）に含まれている。この代替の一実施形態では、ＳＴＢは、ＤＯＤサービスを受信した後にコピープロテクション情報を検索する。
【００４４】
コピープロテクション情報によってコピープロテクションが示された場合は、プロセスはステップ８１２に進み、ＳＴＢは、選択されたＤＯＤサービスをサーバから受信する。続くステップ８１４において、ＳＴＢは、選択されたＤＯＤサービスを表示する前に、その受信したＤＯＤサービスにコピープロテクションを適用する。このコピープロテクションは、画像の歪み、不規則な揺らぎ、信号のノイズ、または色の不安定化などの各種を適用することを含んでもよい。コピー品質を低下させるためにビデオ信号に変更を加える方法は、米国特許第５，８８３，９３６号「Ｖｉｄｅｏ Ｃｏｐｙ Ｐｒｏｔｅｃｔｉｏｎ Ｐｒｏｃｅｓｓ Ｅｎｈａｎｃｅｍｅｎｔ ｔｏ Ｉｎｔｒｏｄｕｃｅ Ｈｏｒｉｚｏｎｔａｌ ａｎｄ Ｖｅｒｔｉｃａｌ Ｐｉｃｔｕｒｅ Ｄｉｓｔｏｒｔｉｏｎｓ（水平および垂直な画像歪みの導入を目的としたビデオコピープロテクションプロセスの強化）」に開示されており、本文献は、引用として本明細書に組み込まれるものとする。また、ビデオ信号の同時的な視聴品質（ｃｏｎｔｅｍｐｏｒａｎｅｏｕｓ ｖｉｅｗｉｎｇ ｑｕａｌｉｔｙ）を減退させることなくビデオ信号のコピー品質を低下させる従来から知られる他の方法も、コピープロテクションとして使用可能である。このようなコピープロテクションは、ＳＴＢ６００（図８）内に設けられた専用回路またはＳＴＢメモリ６０８（図８）に格納されたソフトウェアアプリケーションのいずれかを使用することによって適用可能である。
【００４５】
プロセスは、次いでステップ８１６に進み、適用されたコピープロテクションが機能した状態で、選択されたＤＯＤサービスを表示する。したがって、選択されたＤＯＤサービスをユーザが正常に見ることは可能であるが、そのＤＯＤサービスから作成されたコピーは全て視覚的に歪む。
【００４６】
図１２は、本発明の一実施形態に従った、関連のコピープロテクション情報を有するＤＯＤサービスを受信するプロセス８３０を示す。プロセス８３０は、ステップ８３２から開始する。ステップ８３２では、クライアントは、ユーザインタフェース６１８（図８）を使用して、ＤＯＤサーバ４５０（図７）から取り出し可能なＤＯＤサービスの中から、所望のＤＯＤサービスを選択する。これは、ＥＰＧに載っている利用可能なＤＯＤプログラムのリストから見たいプログラムを選択することを伴ってよい。あるいは、ユーザインタフェースを使用し、所望のサービスに対応するコードを入力することによって、サービスの１つを選択してもよい。ＤＯＤサービスが選択されると、プロセスはステップ８３４に進み、ＳＴＢは、選択されたＤＯＤサービスに対応するコピープロテクション情報をＥＰＧプログラムから検索する。好ましい一実施形態では、利用可能ないずれのＤＯＤサービスも、ＥＰＧプログラムを介して入手可能な関連のコピープロテクション情報を有する。続くステップ８３６において、ＳＴＢは、選択されたＤＯＤサービスを受信できるように、適切な帯域幅および適切な放送データに調節される。ステップ８３８において、ＳＴＢは、選択されたＤＯＤサービスを、ＤＯＤサーバ４５０（図７）によって伝送されたデータストリームを介して受信する。
【００４７】
ステップ８４０において、ＳＴＢは、受信したＤＯＤサービスと、対応するコピープロテクション情報とを、将来の使用に備えて内部ハードドライブ６０８（図８）に格納する。あるいは、ＤＯＤサービスおよび対応するコピープロテクション情報は、ＺＩＰディスクまたはＣＤ−Ｒディスクなどの携帯型のストレージ媒体に格納することも可能である。代替の一実施形態では、ＤＯＤサービスは、格納されたコピープロテクション情報を読み出すために装備されたＳＴＢによってのみアクセス可能な方式で格納されると考えられる。
【００４８】
図１３は、本発明の一実施形態に従った、ステップ８４０（図１２）において予め格納されたＤＯＤサービスのコピー防止のプロセス８５０を示す。プロセスは、ステップ８５２から開始する。ステップ８５２では、ユーザはユーザインタフェース６１８（図８）を使用して、アクセスしたいＤＯＤサービスをＤＯＤサービスのメニューから選択する。
【００４９】
ステップ８５４において、ＳＴＢは、選択されたＤＯＤサービスに対応するコピープロテクション情報を、ＳＴＢハードドライブ６０８から検索する。ステップ８５６において、ＳＴＢは、コピープロテクション情報に基づいて、選択されたＤＯＤサービスにコピープロテクションを適用するべきか否かを決定する。コピープロテクションが表示されなかった場合は、プロセスはステップ８５８に進み、ＳＴＢ６００（図８）は、選択されたＤＯＤサービスをＳＴＢのハードドライブメモリから検索する。続くステップ８６０において、ＳＴＢは、選択されたＤＯＤサービスのあらゆるグラフィック要素を、Ａ／ＶモニタやＶＣＲなどを介してユーザに表示する。この表示は、ビデオテープまたはＤＶＤに自由にコピーしてよい。
【００５０】
選択されたＤＯＤサービスに対応するＳＴＢに格納されたコピープロテクション情報によってコピープロテクションが示された場合は、プロセスはステップ８６２に進み、ＳＴＢは、格納されたＤＯＤプログラムをハードドライブから検索する。続くステップ８６４において、ＳＴＢは、選択されたＤＯＤサービスを表示する前に、その検索したＤＯＤサービスにコピープロテクションを適用する。このコピープロテクションは、図１１を参照して前述したように、画像の歪み、不規則な揺らぎ、信号のノイズ、または色の不安定化などの各種を適用することを含んでもよい。また、ビデオ信号の同時的な視聴品質を減退させることなくビデオ信号のコピー品質を低下させる従来から知られる他の方法も、コピープロテクションとして使用可能である。このようなコピープロテクションは、ＳＴＢ６００（図８）内に設けられた専用回路またはＳＴＢメモリ６０８（図８）に格納されたソフトウェアアプリケーションのいずれかを使用することによって適用可能である。
【００５１】
プロセスは、次いでステップ８６６に進み、適用されたコピープロテクションが機能した状態で、選択されたＤＯＤサービスを表示する。したがって、選択されたＤＯＤサービスをユーザが正常に見ることは可能であるが、そのＤＯＤサービスから作成されたコピーは全て視覚的に歪む。
【００５２】
上述した実施例は、本発明による特定の代表的な実施形態を示したものであり、当業者ならば、これらを元に変更形態および代替形態を考え付くことが可能である。したがって、本発明は、上述した特定の実施形態に限定されるのではなく、添付した特許請求の範囲によって規定されることが望ましい。
【図面の簡単な説明】
【図１】
圧縮されたビデオデータを、パケットストリームおよびトランスポートパケットストリームにパケット化する様子を示す図である。
【図２】
ＭＰＥＧ２規格に従ったシステムのブロック図である。
【図３】
ＶＯＤシステムの簡単な機能ブロック図である。
【図４】
従来技術による双方向のクライアントサーバアーキテクチャを有するＤＯＤシステムの概略図である。
【図５】
クライアント指定データ伝送メカニズムを使用してＤＯＤサービスを提供するためのＤＯＤサーバにおける方法を示す図である。
【図６】
ＤＯＤレシーバメカニズムを使用してＤＯＤサービスを受信して格納するためのＤＯＤクライアントにおける方法を示す図である。
【図７】
本発明の一実施形態に従ったデジタル放送サーバのブロック図である。
【図８】
本発明の好ましい一実施形態に従った汎用ＳＴＢのハードウェアアーキテクチャを示すブロック図である。
【図９】
有効期間が制限されたＤＯＤサービスを受信するために、コンピュータによって実行される方法を、本発明の一実施形態に従って示すフローチャートである。
【図１０】
ＤＯＤレシーバに格納された関連の有効期限情報を有する選択されたＤＯＤサービスにアクセスするための、コンピュータによって実行可能な方法を、本発明の一実施形態に従って示すフローチャートである。
【図１１】
関連のコピープロテクション情報を有する選択されたＤＯＤサービスにアクセスするための、コンピュータによって実行可能な方法を、本発明の一実施形態に従って示すフローチャートである。
【図１２】
コピープロテクションを有するＤＯＤサービスを受信するための、コンピュータによって実行可能な方法を、本発明の一実施形態に従って示すフローチャートである。
【図１３】
図１２のプロセスに従って予め格納されたＤＯＤサービスのコピー防止のプロセスを示すフローチャートである。
【符号の説明】
１０２…ビデオシーケンス
１０４…ヘッダ
１０６…圧縮ビデオデータ
１０８…ＰＥＳパケットのストリーム
１１０…ＰＥＳパケットヘッダ
１１２…トランスポートストリームパケットのストリーム
１１４…トランスポートストリームヘッダ
２００…デジタル放送システム
２０２…デジタル放送サーバ
２０４…セットトップボックス
２０６…ビデオエンコーダ
２０８…符号化されたビデオ
２１０…パケッタイザ
２１２…符号化されパケット化されたビデオ
２１４…トランスポートストリームマルチプレクサ
２１６…オーディオエンコーダ
２１８…符号化されたオーディオ
２２０…パケッタイザ
２２２…符号化されパケット化されたオーディオ
２２４…配布インフラ
２３０…トランスポートストリームデマルチプレクサ
２３２…ビデオデコーダ
２３４…クロック制御ユニット
２３６…オーディオデコーダ
２３８…リンク
２４０…リンク
３００…ＶＯＤシステム
３０４…ＶＯＤ　ＳＴＢ
３１０…ビデオサーバ
３１２…映画ストレージシステム
３１４…配布インフラ
３２０…ＤＯＤシステム
３２２…ＤＯＤサーバ
３２４…ＤＯＤクライアント
３２６…通信リンク
４１１…チャネルサーバ
４１２…アップコンバータ
４１４…コンバイナ／アンプリファイヤ
４５０…ＤＯＤサーバ
５０２…中央制御サーバ
５０４…中央ストレージ
５０６…データバス
６００…汎用ＳＴＢ
６０２…ＱＡＭ復調器
６０４…ＣＰＵ
６０８…ローカルメモリ
６１０…バッファメモリ
６１２…デコーダ
６１４…グラフィックオーバーレイモジュール
６１８…ユーザインタフェース
６２０…通信リンク
６２２…高速データバス
６２４…出力デバイス
【図１】
2004514335.tif 000003
【図２】
2004514335.tif 000004
【図３】
2004514335.tif 000005
【図４】
2004514335.tif 000006
【図５】
2004514335.tif 000007
【図６】
2004514335.tif 000008
【図７】
2004514335.tif 000009
【図８】
2004514335.tif 000010
【図９】
2004514335.tif 000011
【図１０】
2004514335.tif 000012
【図１１】
2004514335.tif 000013
【図１２】
2004514335.tif 000014
【図１３】
2004514335.tif 000015
【国際公開パンフレット】
2004514335.tif 000016
2004514335.tif 000017
2004514335.tif 000018
2004514335.tif 000019
2004514335.tif 000020
2004514335.tif 000021
2004514335.tif 000022
2004514335.tif 000023
2004514335.tif 000024
2004514335.tif 000025
2004514335.tif 000026
2004514335.tif 000027
2004514335.tif 000028
2004514335.tif 000029
2004514335.tif 000030
2004514335.tif 000031
2004514335.tif 000032
2004514335.tif 000033
2004514335.tif 000034
2004514335.tif 000035
2004514335.tif 000036
2004514335.tif 000037
2004514335.tif 000038
2004514335.tif 000039
2004514335.tif 000040
2004514335.tif 000041
2004514335.tif 000042
2004514335.tif 000043
2004514335.tif 000044
2004514335.tif 000045
2004514335.tif 000046
2004514335.tif 000047
【国際調査報告】
2004514335.tif 000048
2004514335.tif 000049